(57)【要約】    【課題】本発明は、組立時の引出し線の断線を防止することができるコイルボビン装置を提供する。    【解決手段】コイルボビン装置１００において、端子片１４ａに備えられた端子片突出部１７ａは、引出し線１５ａを保護すべくコイルボビン１０の外側に突出し、端子片１４ｂに備えられた端子片突出部１７ｂ，１７ｃは、引出し線１５ｂを保護すべくコイルボビン１０の外側に突出している。【選択図】      図１
2006278464.tif 000002
【特許請求の範囲】
【請求項１】
一対のコイルボビンを備え、一対のコイルボビンの一方は、円筒状の胴部と、前記胴部の両端に形成された一対のツバと、前記胴部に巻回されたコイルと、前記一対のツバのうち前記一対のコイルボビンの他方に対向するツバに形成され、前記対向するツバに関して前記胴部と反対側に突出した２つの端子片と、前記２つの端子片に夫々設けられ、前記コイルボビンの一方の外側に突出すると共に、前記コイルの端部が巻回された２つの端子とを備え、前記一対のコイルボビンは、前記端子片が互いに組み合うように組立てられるコイルボビン装置において、
前記端子片は、前記コイルの端部を保護すべく前記コイルボビンの一方の外側に突出した端子片突出部を備えることを特徴とするコイルボビン装置。
【請求項２】
前記端子片突出部は、前記一対のコイルボビンが組立てられたときに、前記一対のコイルボビンの他方における端子片に対向する側において、前記端子に隣接して設けられていることを特徴とする請求項１記載のコイルボビン装置。
【請求項３】
前記端子片突出部は、前記一対のコイルボビンの他方における端子片の反対側に設けられていることを特徴とする請求項２記載のコイルボビン装置。
【請求項４】
前記対向するツバに形成され、前記コイルボビンの一方の外側に突出すると共に、基板が当接する基板当接部を備え、前記基板当接部は、前記端子片突出部より前記コイルボビンの一方の外側に突出していることを特徴とする請求項１乃至３のいずれか１項に記載のコイルボビン装置。
【発明の詳細な説明】
【技術分野】
【０００１】
本発明は、コイルボビン装置に関し、特に、モータ等に備えられたコイルボビン装置に関する。
【背景技術】
【０００２】
従来のモータ等に備えられたコイルボビン装置は、一対のコイルボビンを備える。一対のコイルボビンの各々は、コイルが巻回された円筒状の胴部を有し、コイルボビンの両端に一対のツバが円筒状の胴部と一体に形成されている。
【０００３】
一対のコイルボビンの各々は、また、ツバの接線上にある接線面を有する端子部を備える。
【０００４】
端子部は、ツバに関して胴部と反対側に突出した２つの端子片と、２つの端子片に夫々設けられ、コイルボビンの外側に突出すると共に、コイルの端部である引出し線が巻回された２つの端子とを備える。一対のコイルボビンは、端子片が互いに組み合うように組立てられる。
【０００５】
上記コイルボビン装置において、一対のコイルボビンの夫々に複数の端子片が櫛状に形成されることにより、一対のコイルボビンが互いに相補的な形状を有するコイルボビン装置（例えば、特許文献１参照）や、端子部に互いに隣接する凹部と凸部を形成し、凹部に端子を突設し、凸部にプリント基板を当接するように構成されたコイルボビン装置（例えば、特許文献２参照）が提案されている。
【特許文献１】実開平１−６０５０５号公報
【特許文献２】特開平２−６５６４８号公報
【発明の開示】
【発明が解決しようとする課題】
【０００６】
しかしながら、上記特許文献１に記載されたコイルボビン装置では、端子に巻回された引出し線が保護されていないので、互いに相補的な形状を有する一対のコイルボビンを組立てるときに、引出し線を一対のコイルボビンの間に挟んで断線させる場合がある。
【０００７】
上記特許文献２に記載されたコイルボビン装置では、端子が突設されている凹部に隣接する凸部にプリント基板を当接するので、凸部に乗り上げたコイルの引出し線を凸部とプリント基板との間に挟んで断線させる場合がある。
【０００８】
本発明の目的は、組立時の引出し線の断線を防止することができるコイルボビン装置を提供することにある。
【課題を解決するための手段】
【０００９】
上記目的を達成するため、請求項１記載のコイルボビン装置は、一対のコイルボビンを備え、一対のコイルボビンの一方は、円筒状の胴部と、前記胴部の両端に形成された一対のツバと、前記胴部に巻回されたコイルと、前記一対のツバのうち前記一対のコイルボビンの他方に対向するツバに形成され、前記対向するツバに関して前記胴部と反対側に突出した２つの端子片と、前記２つの端子片に夫々設けられ、前記コイルボビンの一方の外側に突出すると共に、前記コイルの端部が巻回された２つの端子とを備え、前記一対のコイルボビンは、前記端子片が互いに組み合うように組立てられるコイルボビン装置において、前記端子片は、前記コイルの端部を保護すべく前記コイルボビンの一方の外側に突出した端子片突出部を備えることを特徴とする。
【００１０】
請求項２記載のコイルボビン装置は、請求項１記載のコイルボビン装置において、前記端子片突出部は、前記一対のコイルボビンが組立てられたときに、前記一対のコイルボビンの他方における端子片に対向する側において、前記端子に隣接して設けられていることを特徴とする。
【００１１】
請求項３記載のコイルボビン装置は、請求項２記載のコイルボビン装置において、前記端子片突出部は、前記一対のコイルボビンの他方における端子片の反対側に設けられていることを特徴とする。
【００１２】
請求項４記載のコイルボビン装置は、請求項１乃至３のいずれか１項に記載のコイルボビン装置において、前記対向するツバに形成され、前記コイルボビンの一方の外側に突出すると共に、基板が当接する基板当接部を備え、前記基板当接部は、前記端子片突出部より前記コイルボビンの一方の外側に突出していることを特徴とする。
【発明の効果】
【００１３】
請求項１記載のコイルボビン装置によれば、端子片に備えられた端子片突出部は、コイルの端部を保護すべくコイルボビンの一方の外側に突出ているので、端子片突出部は、コイルの引出し線を隣接する端子片から保護し、もって組立時の引出し線の断線を防止することができる。
【００１４】
請求項２記載のコイルボビン装置によれば、端子片突出部は、一対のコイルボビンが組立てられたときに、一対のコイルボビンの他方における端子片に対向する側において、端子に隣接して設けられているので、端子片突出部は、コイルの引出し線を隣接する端子片から保護し、もって組立時の引出し線の断線を防止することができる。
【００１５】
請求項３記載のコイルボビン装置によれば、端子片突出部は、一対のコイルボビンの他方における端子片の反対側に設けられているので、端子片突出部は、コイルの引出し線を隣接する端子片から保護し、もって組立時の引出し線の断線を防止することができる。
【００１６】
請求項４記載のコイルボビン装置によれば、対向するツバに形成され、コイルボビンの一方の外側に突出すると共に、基板が当接する基板当接部は、端子片突出部よりコイルボビンの一方の外側に突出しているので、端子片突出部に乗り上げたコイルの引出し線を端子片突出部と基板の間に挟むのを防止し、もって基板設置時の引出し線の断線を防止することができる。
【発明を実施するための最良の形態】
【００１７】
以下、本発明の実施の形態を図面を参照しながら詳述する。
【００１８】
図１は、本発明の実施の形態に係るコイルボビン装置の展開図であり、図２はコイルボビン装置の斜視図である。
【００１９】
本発明の実施の形態に係るコイルボビン装置１００は、コイル１１，２１が夫々巻回された一対のコイルボビン１０，２０を備える。コイルボビン１０，２０は、同一構造であるので、コイルボビン１０に着目して説明する。コイルボビン２０の構成要素には、コイルボビン１０の対応する構成要素の符号に１０をプラスした符号を付している。
【００２０】
コイルボビン１０は、コイル１１が巻回された円筒状の胴部を有し、コイルボビン１０の一端にツバ１２ａが、コイルボビン１０の他端にツバ１２ｂが円筒状の胴部と一体に形成されている。本実施の形態において、コイル１１の直径は０．１ｍｍとする。
【００２１】
コイルボビン１０は、また、ツバ１２ａの接線上にある接線面を有する端子部１３を備える。
【００２２】
端子部１３は、ツバ１２ａの接線面に形成され、ツバ１２ａに関して胴部と反対側に突出した端子片１４ａ，１４ｂと、端子片１４ａ，１４ｂに夫々設けられ、コイルボビン１０の外側に突出すると共に、コイル１１の端部である引出し線１５ａ，１５ｂが巻回された端子１６ａ，１６ｂとを備える。
【００２３】
コイルボビン１０及び２０は、図２に示すように、ツバ１２ａとツバ２２ａとが互いに対向し、端子部１３及び２３が互いに組み合うように組立てられる。即ち、端子片１４ａ及び１４ｂの間に端子片２４ｂが配置され、端子片２４ａ及び２４ｂの間に端子片１４ｂが配置される。
【００２４】
図３は、図１におけるコイルボビンの正面図である。
【００２５】
図２及び図３に示すように、端子片１４ａは、引出し線１５ａを保護すべくコイルボビン１０の外側に突出した端子片突出部１７ａを備える。この端子片突出部１７ａは、コイルボビン１０及び２０が組立てられたときに、端子片２４ｂに対向する側に、端子１６ａに隣接して設けられている。端子片突出部１７ａは、コイル１１の直径（ここでは０．１ｍｍ）以上、好ましくは０．１ｍｍ〜０．１５ｍｍ突出している。尚、端子片突出部は、端子片１４ａの両側に設けられていても構わない。
【００２６】
また、端子片１４ｂは、引出し線１５ｂを保護すべくコイルボビン１０の外側に突出した端子片突出部１７ｂ，１７ｃを備える。この端子片突出部１７ｂ，１７ｃは、コイルボビン１０及び２０が組立てられたときに、端子片２４ｂ，２４ａに対向する側に、端子１６ｂに隣接して設けられている。端子片突出部１７ｂ，１７ｃは、コイル１１の直径（ここでは０．１ｍｍ）以上、好ましくは０．１ｍｍ〜０．１５ｍｍ突出している。
【００２７】
また、端子部１３は、ツバ１２ａの接線面に形成され、コイルボビン１０の外側に突出すると共に、不図示のプリント基板等の基板が当接する基板当接部１８ａ，１８ｂを備える。基板当接部１８ａ，１８ｂは、端子片突出部１７ａ，１７ｂ，１７ｃより突出している。基板当接部１８ａ，１８ｂは、端子片突出部１７ａ，１７ｂ，１７ｃより、コイル１１の直径（ここでは０．１ｍｍ）以上、好ましくは０．１ｍｍ〜０．１５ｍｍ突出している。
【００２８】
本実施の形態によれば、端子片突出部１７ａは、端子片１４ａにおいて、引出し線１５ａを保護すべくコイルボビン１０の外側に突出しているので、端子片突出部１７ａは、引出し線１５ａを隣接する端子片１４ａと端子片２４ｂとの間に挟むのを防止し、もって組立時の引出し線の断線を防止することができる。
【００２９】
また、端子片突出部１７ｂ，１７ｃは、端子片１４ｂにおいて、引出し線１５ｂを保護すべくコイルボビン１０の外側に突出しているので、端子片突出部１７ｂ，１７ｃは、引出し線１５ｂを端子片１４ｂと隣接する端子片２４ｂ，２４ａとの間に挟むのを防止し、もって組立時の引出し線の断線を防止することができる。
【００３０】
また、基板が当接する基板当接部１８ａ，１８ｂは、端子片突出部１７ａ，１７ｂ，１７ｃより突出しているので、端子片突出部１７ａ，１７ｂ，１７ｃに乗り上げたコイルの引出し線１５ａ，１５ｂを端子片突出部１７ａ，１７ｂ，１７ｃと基板との間に挟むのを防止し、もって基板設置時の引出し線の断線を防止することができる。
【図面の簡単な説明】
【００３１】
【図１】本発明の実施の形態に係るコイルボビン装置の展開図である。
【図２】図１のコイルボビン装置の斜視図である。
【図３】図１におけるコイルボビンの正面図である。
【符号の説明】
【００３２】
１０，２０  コイルボビン
１１，２１  コイル
１２ａ，１２ｂ，２２ａ，２２ｂ  ツバ
１３，２３  端子部
１４ａ，１４ｂ，２４ａ，２４ｂ  端子片
１５ａ，１５ｂ，２５ａ，２５ｂ  引出し線
１６ａ，１６ｂ，２６ａ，２６ｂ  端子
１７ａ，１７ｂ，１７ｃ，２７ａ，２７ｂ，２７ｃ  端子片突出部
１８ａ，１８ｂ，２８ａ，２８ｂ  基板当接部
【図１】
2006278464.tif 000003
【図２】
2006278464.tif 000004
【図３】
2006278464.tif 000005